(57)【要約】  視聴者に暗線が視認されにくい、良好な画像を表示することのできる表示装置を提供する。この表示装置は、第１の表示部（Ｓ１）と、第２の表示部（Ｓ２）と、導光部材（ＦＯＰ２０Ａ）とを備える。第１の表示部（Ｐ１）は、第１の中央領域（ＳＣ１）および湾曲した第１の端部領域（ＳＬ１）を含んで第１の画像光を発する第１の表示面（Ｓ１）、を有する。第２の表示部（Ｐ２）は、第２の中央領域（ＳＣ２）および湾曲した第２の端部領域（ＳＬ２）を含んで第２の画像光を発すると共にギャップ（Ｇ１）を介して第１の表示部（Ｐ１）と隣り合う第２の表示面（Ｓ２）を有する。導光部材（ＦＯＰ２０Ａ）は、ギャップ（Ｇ）に設けられ、第１の端部領域（ＳＬ１）からの第１の画像光を第１の射出面（２３Ａ）に射出し、第２の端部領域（ＳＬ２）からの第２の画像光を第２の射出面（２３Ｂ）に射出する。
2019187735.tif 000002
【特許請求の範囲】
【請求項１】
第１の中央領域および湾曲した第１の端部領域を含んで第１の画像光を発する第１の表示部、を有する第１の表示部材と、  第２の中央領域および湾曲した第２の端部領域を含んで第２の画像光を発すると共にギャップを介して前記第１の表示部と隣り合う第２の表示部、を有する第２の表示部材と、  前記ギャップに設けられ、前記第１の端部領域からの前記第１の画像光が入射する第１の入射面、前記第１の入射面からの前記第１の画像光を射出する第１の射出面、前記第２の端部領域からの前記第２の画像光が入射する第２の入射面、および前記第２の入射面からの前記第２の画像光を射出する第２の射出面、を有する導光部材と  を備えた表示装置。
【請求項２】
前記導光部材は、  前記第１の入射面から前記第１の射出面まで前記第１の画像光を案内する第１のコア部、および前記第１のコア部を取り巻く第１のクラッド部、を各々有する第１の光ファイバが複数束ねられて一体化された第１の導光部分と、  前記第２の入射面から前記第２の射出面まで前記第２の画像光を案内する第２のコア部、および前記第２のコア部を取り巻く第２のクラッド部、を各々有する第２の光ファイバが複数束ねられて一体化された第２の導光部分と  を有する  請求項１記載の表示装置。
【請求項３】
前記導光部材は、  前記第１の入射面に入射した前記第１の画像光を拡大して前記第１の射出面から射出し、  前記第２の入射面に入射した前記第２の画像光を拡大して前記第２の射出面から射出する  請求項１記載の表示装置。
【請求項４】
前記第１の表示部および前記第２の表示部は、フレキシブルディスプレイである  請求項１記載の表示装置。
【請求項５】
前記第１の表示部のうちの前記第１の中央領域、前記第２の表示部のうちの前記第２の中央領域、ならびに、前記導光部材における前記第１の射出面および前記第２の射出面は、一体となって連結表示面を形成している  請求項１記載の表示装置。
【請求項６】
前記連結表示面を覆う光学フィルムをさらに備えた  請求項５記載の表示装置。
【請求項７】
前記第１の表示部のうちの前記第１の中央領域を覆う第１の透明板および前記第２の表示部のうちの前記第２の中央領域を覆う第２の透明板のうちの少なくとも一方をさらに備えた  請求項１記載の表示装置。
【請求項８】
第１の中央領域および湾曲した第１の端部領域を含んで第１の画像光を発する第１の表示部、を有する第１の表示部材と、  第２の中央領域および湾曲した第２の端部領域を含んで第２の画像光を発すると共にギャップを介して前記第１の表示部と隣り合う第２の表示部、を有する第２の表示部材と、  前記ギャップを跨いで前記第１の表示部の前記第１の中央領域および前記第２の表示部の前記第２の中央領域の双方を覆うように設けられた光学フィルムと  を備えた表示装置。
【発明の詳細な説明】
【技術分野】
【０００１】  本開示は、表示装置に関する。
【背景技術】
【０００２】  これまでに、表示パネルを複数配列して構成される大型のマルチディスプレイが提案されている（例えば特許文献１）。
【先行技術文献】
【特許文献】
【０００３】
【特許文献１】特開２０１４−１１９５６２号公報
【発明の概要】
【０００４】  このようなマルチディスプレイにおいては、複数並べられた表示パネル同士の境界部分が暗線として視認されることが多い。
【０００５】  したがって、視聴者に暗線が視認されにくい、良好な画像を表示することのできる表示装置を提供することが望まれる。
【０００６】  本開示の一実施形態としての第１の表示装置は、第１の表示部と、第２の表示部と、導光部材とを備える。第１の表示部は、第１の中央領域および湾曲した第１の端部領域を含んで第１の画像光を発する第１の表示面、を有する。第２の表示部は、第２の中央領域および湾曲した第２の端部領域を含んで第２の画像光を発すると共にギャップを介して第１の表示部と隣り合う第２の表示面を有する。導光部材は、ギャップに設けられ、第１の表示面のうちの第１の端部領域からの第１の画像光が入射する第１の入射面、その第１の入射面からの第１の画像光を射出する第１の射出面、第２の表示面のうちの第２の端部領域からの第２の画像光が入射する第２の入射面、および第２の入射面からの第２の画像光を射出する第２の射出面、を有する。
【０００７】  本開示の一実施形態としての第２の表示装置は、第１の表示部と、第２の表示部と、光学フィルムとを備える。第１の表示部は、第１の中央領域および湾曲した第１の端部領域を含んで第１の画像光を発する第１の表示面、を有する。第２の表示部は、第２の中央領域および湾曲した第２の端部領域を含んで第２の画像光を発すると共にギャップを介して第１の表示面と隣り合う第２の表示面、を有する。光学フィルムは、ギャップを跨いで第１の表示面の第１の中央領域および第２の表示面の第２の中央領域の双方を覆うように設けられている。
【０００８】  本開示の一実施形態としての表示装置によれば、視聴者に暗線が視認されにくい、良好な画像を表示することができる。  なお、本開示の効果はこれに限定されるものではなく、以下に記載のいずれの効果であってもよい。
【図面の簡単な説明】
【０００９】
【図１Ａ】本開示の第１の実施の形態に係る表示装置の全体構成例を表す正面図である。
【図１Ｂ】図１Ａに示した表示装置の構成を表す断面図である。
【図１Ｃ】図１Ａに示した表示装置の要部を拡大して表す断面図である。
【図１Ｄ】図１Ａに示したファイバ光学プレートの要部を拡大して表す断面図である。
【図２Ａ】本開示の第２の実施の形態に係る表示装置の要部を拡大して表す断面図である。
【図２Ｂ】図２Ａに示した表示装置の第１の変形例の要部を拡大して表す断面図である。
【図２Ｃ】図２Ａに示した表示装置の第２の変形例の要部を拡大して表す断面図である。
【図３Ａ】本開示の第３の変形例としての表示装置の要部を拡大して表す断面図である。
【図３Ｂ】本開示の第４の変形例としての表示装置の要部を拡大して表す断面図である。
【図３Ｃ】本開示の第５の変形例としての表示装置の要部を拡大して表す断面図である。
【図４Ａ】本開示の第６の変形例としての表示装置の要部を拡大して表す断面図である。
【図４Ｂ】本開示の第７の変形例としての表示装置の要部を拡大して表す断面図である。
【図５】本開示の第８の変形例としての表示装置の要部を拡大して表す断面図である。
【発明を実施するための形態】
【００１０】  以下、本開示の実施の形態について図面を参照して詳細に説明する。なお、説明は以下の順序で行う。１．第１の実施の形態  複数のフレキシブル表示パネルの境界近傍の湾曲部分にファイバ光学プレート（ＦＯＰ）を配置するようにした表示装置の例２．第２の実施の形態およびその変形例  複数のフレキシブル表示パネル、およびそれらの境界近傍に設けられたＦＯＰの前面に、光学フィルムを貼り合わせるようにした表示装置の例３．第２の実施の形態の変形例４．その他の変形例
【００１１】＜１．第１の実施の形態＞［表示装置１の構成］  図１Ａおよび図１Ｂは、いずれも本開示の第１の実施の形態としての表示装置１の全体構成例を模式的に表したものである。図１Ａは、表示装置１の平面構成を表し、図１Ｂは、断面構成を表している。図１Ｂは、図１Ａに示したＩＢ−ＩＢ切断線に沿った矢視方向の断面図に相当する。さらに、図１Ｃは、表示装置１の要部を拡大して示した断面図であり、図１Ａに示したＩＣ１−ＩＣ１切断線に沿った矢視方向の断面図もしくはＩＣ２−ＩＣ２切断線に沿った矢視方向の断面図に相当する。なお、図１ＡのＩＣ１−ＩＣ１切断線に沿った断面構造と図１ＡのＩＣ２−ＩＣ２切断線に沿った断面構造とは実質的に同一である。但し、括弧付きの符号が付された構成要素については、図１ＡのＩＣ２−ＩＣ２切断線に沿った断面構造における構成要素を括弧付きの符号が表している。
【００１２】  表示装置１は、複数の表示パネルＰ１〜Ｐ３が、境界部分Ｇ１，Ｇ２においてファイバ光学プレート（ＦＯＰ）２０を介して連結されて一体化されたものである。表示パネルＰ１および表示パネルＰ２は本開示の「第１の表示部材」および「第２の表示部材」にそれぞれ対応する一具体例である。また、境界部分Ｇ１，Ｇ２は、本開示の「ギャップ」に対応する一具体例である。  なお、本明細書では、表示パネルＰ１〜Ｐ３を総称して表示パネルＰと記載し、境界部分Ｇ１，Ｇ２を総称して境界部分Ｇと記載することがある。また、本実施の形態では３つの表示パネルＰを連結するようにしたが、本技術ではその数は限定されない。
【００１３】（表示パネルＰ）  表示パネルＰ１〜Ｐ３は、可撓性を有するシート状のいわゆるフレキシブルディスプレイである。表示パネルＰ１〜Ｐ３には、例えば有機ＥＬ（Electro Luminescence）素子などの自発光素子や液晶素子などの表示素子を用いた複数の画素を含む表示素子層が設けられている。表示パネルＰ１〜Ｐ３は、それぞれ、画像光Ｌ１〜Ｌ３をそれぞれ発する表示部Ｓ１〜Ｓ３と、表示部Ｓ１〜Ｓ３への給電や信号の送受信を行うための配線などが設けられた周辺部Ｆ１〜Ｆ３とを有する。  なお、本明細書では、画像光Ｌ１〜Ｌ３を総称して画像光Ｌと記載し、表示部Ｓ１〜Ｓ３を総称して表示部Ｓと記載し、周辺部Ｆ１〜Ｆ３を総称して周辺部Ｆと記載することがある。
【００１４】  表示部Ｓ１は、一対の端部領域ＳＬ１，ＳＲ１と、表示パネルＰの並び方向、すなわち、Ｘ軸方向において端部領域ＳＬ１と端部領域ＳＲ１との間に挟まれた中央領域ＳＣ１とを含んでいる。中央領域ＳＣ１の表面および端部領域ＳＲ１の表面は、Ｘ軸方向およびＹ軸方向に沿って広がる平面である。一方、端部領域ＳＬ１の表面は、Ｙ軸方向に平行であるものの、中央領域ＳＣ１から遠ざかるほどＺ軸方向への変位量が拡大するように湾曲した曲面を含んでいる。
【００１５】  表示部Ｓ２は、一対の端部領域ＳＬ２，ＳＲ２と、Ｘ軸方向において端部領域ＳＬ２と端部領域ＳＲ２との間に挟まれた中央領域ＳＣ２とを含んでいる。中央領域ＳＣ２の表面は、Ｘ軸方向およびＹ軸方向に沿って広がる平面である。端部領域ＳＬ２，ＳＲ２の各表面は、Ｙ軸方向に平行であるものの、中央領域ＳＣ２から遠ざかるほどＺ軸方向への変位量が拡大するように湾曲した曲面を含んでいる。
【００１６】  同様に、表示部Ｓ３は、一対の端部領域ＳＬ３，ＳＲ３と、Ｘ軸方向において端部領域ＳＬ３と端部領域ＳＲ３との間に挟まれた中央領域ＳＣ３とを含んでいる。中央領域ＳＣ３の表面および端部領域ＳＲ１の表面は、Ｘ軸方向およびＹ軸方向に沿って広がる平面である。一方、端部領域ＳＬ３の表面は、Ｙ軸方向に平行であるものの、中央領域ＳＣ３から遠ざかるほどＺ軸方向への変位量が拡大するように湾曲した曲面を含んでいる。
【００１７】（ＦＯＰ２０）  表示装置１では、境界部分Ｇ１には、表示パネルＰ１と表示パネルＰ２とを繋ぐＦＯＰ２０Ａが配置され、境界部分Ｇ２には、表示パネルＰ２と表示パネルＰ３とを繋ぐＦＯＰ２０Ｂが配置されている。ＦＯＰ２０ＡおよびＦＯＰ２０Ｂは、それぞれ、石英ガラスまたは透明樹脂を主たる構成材料とする光ファイバ２６（後出）が複数束ねられて一体化されたブロック状の光学部材である。ＦＯＰ２０ＡおよびＦＯＰ２０Ｂは実質的に同一の構成を有する。ＦＯＰ２０ＡおよびＦＯＰ２０Ｂは、入射面（後出の第１の入射面２２Ａおよび第２の入射面２２Ｂ）に入射した画像光Ｌを、入射面と異なる射出面（後出の第１の射出面２３Ａおよび第２の射出面２３Ｂ）まで伝播し、画像光Ｌを射出する。  なお、本明細書では、ＦＯＰ２０ＡおよびＦＯＰ２０Ｂを総称してＦＯＰ２０と記載することがある。
【００１８】  図１Ｃに示したように、ＦＯＰ２０Ａは、第１の導光部分２１Ａと第２の導光部分２１Ｂとが、境界Ｋ１２において貼り合わされたものである。同様に、ＦＯＰ２０Ｂは、第１の導光部分２１Ａと第２の導光部分２１Ｂとが、境界Ｋ２３において貼り合わされたものである。第１の導光部分２１Ａと第２の導光部分２１Ｂとの貼り合わせは、例えば透明樹脂などの接着剤による接着により行うことができる。
【００１９】  ＦＯＰ２０Ａにおける第１の導光部分２１Ａは、第１の入射面２２Ａと第１の射出面２３Ａとを有する。ＦＯＰ２０Ａにおける第１の入射面２２Ａは、端部領域ＳＬ１と対向しており、端部領域ＳＬ１からの画像光Ｌ１が入射する面である。ＦＯＰ２０Ａにおける第１の入射面２２Ａは、表示パネルＰ１の端部領域ＳＬ１の表面に沿って湾曲している。ＦＯＰ２０Ａにおける第１の入射面２２Ａは、表示パネルＰ１の端部領域ＳＬ１の表面と透明接着剤などにより接合されているとよい。ＦＯＰ２０Ａにおける第１の射出面２３Ａは、第１の入射面２２Ａへ入射した画像光Ｌ１を、第１の導光部分２１Ａの外部へ射出する面である。同様に、ＦＯＰ２０Ｂにおける第１の導光部分２１Ａも、第１の入射面２２Ａと第１の射出面２３Ａとを有する。ＦＯＰ２０Ｂにおける第１の入射面２２Ａは、端部領域ＳＬ２と対向しており、端部領域ＳＬ２からの画像光Ｌ２が入射する面である。ＦＯＰ２０Ｂにおける第１の入射面２２Ａは、表示パネルＰ２の端部領域ＳＬ２の表面に沿って湾曲している。ＦＯＰ２０Ｂにおける第１の入射面２２Ａは、表示パネルＰ２の端部領域ＳＬ２の表面と透明接着剤などにより接合されているとよい。ＦＯＰ２０Ｂにおける第１の射出面２３Ａは、第１の入射面２２Ａへ入射した画像光Ｌ２を、第１の導光部分２１Ａの外部へ射出する面である。
【００２０】  ＦＯＰ２０Ａにおける第２の導光部分２１Ｂは、第２の入射面２２Ｂと第２の射出面２３Ｂとを有する。ＦＯＰ２０Ａにおける第２の入射面２２Ｂは、端部領域ＳＲ２からの画像光Ｌ２が入射する面である。ＦＯＰ２０Ａにおける第２の入射面２２Ｂは、表示パネルＰ２の端部領域ＳＲ２と対向しており、端部領域ＳＲ２の表面に沿って湾曲している。ＦＯＰ２０Ａにおける第２の入射面２２Ｂは、表示パネルＰ２の端部領域ＳＲ２の表面と透明接着剤などにより接合されているとよい。ＦＯＰ２０Ａにおける第２の射出面２３Ｂは、第２の入射面２２Ｂへ入射した画像光Ｌ２を、第２の導光部分２１Ｂの外部へ射出する面である。同様に、ＦＯＰ２０Ｂにおける第２の導光部分２１Ｂも、第２の入射面２２Ｂと第２の射出面２３Ｂとを有する。ＦＯＰ２０Ｂにおける第２の入射面２２Ｂは、端部領域ＳＲ３と対向しており、端部領域ＳＲ３からの画像光Ｌ３が入射する面である。ＦＯＰ２０Ｂにおける第２の入射面２２Ｂは、表示パネルＰ３の端部領域ＳＲ３の表面に沿って湾曲している。ＦＯＰ２０Ｂにおける第２の入射面２２Ｂは、表示パネルＰ３の端部領域ＳＲ３の表面と透明接着剤などにより接合されているとよい。ＦＯＰ２０Ｂにおける第２の射出面２３Ｂは、第２の入射面２２Ｂへ入射した画像光Ｌ３を、第２の導光部分２１Ｂの外部へ射出する面である。
【００２１】  表示部Ｓ１のうちの中央領域ＳＣ１の表面、表示部Ｓ２のうちの中央領域ＳＣ２の表面、ＦＯＰ２０Ａにおける第１の射出面２３Ａおよび第２の射出面２３Ｂ、表示部Ｓ３のうちの中央領域ＳＣ３の表面、ならびにＦＯＰ２０Ｂにおける第１の射出面２３Ａおよび第２の射出面２３Ｂは、一体となって連結表示面ＳＳを形成している。
【００２２】  図１Ｄは、ＦＯＰ２０Ａのうちの第１の導光部分２１Ａを拡大して表す平面図である。図１Ｄに示したように、第１の導光部分２１Ａは複数の光ファイバ２６を有している。複数の光ファイバ２６は、第１の入射面２２Ａから第１の射出面２３Ａまで延在するコア部２６１、およびそのコア部２６１の周囲を取り巻くクラッド部２６２、を各々有する。コア部２６１の屈折率はクラッド部２６２の屈折率よりも高い。したがって、コア部２６１は、第１の入射面２２Ａに入射した画像光Ｌ１を第１の射出面２３Ａまで案内する光導波路として機能する。複数の光ファイバ２６は、例えば各々の光軸が第１の入射面２２Ａおよび第１の射出面２３Ａの双方に対して垂直となるように、第１の入射面２２Ａから第１の射出面２３Ａに至るまで湾曲している。第２の導光部分２１Ｂは、境界Ｋ１２を対称軸として第１の導光部分２１Ａと実質的に線対称の構成を有する。
【００２３】［表示装置１の作用効果］  このように、本実施の形態の表示装置１では、複数の表示パネルＰ１〜Ｐ３を、境界部分Ｇ１，Ｇ２において連結して一体化するようにしたので、全体として大きな表示面を形成することができる。特に、境界部分Ｇ１，Ｇ２に導光部材としてのＦＯＰ２０Ａ，２０Ｂを配置するようにしたので、複数の表示パネルＰ１〜Ｐ３から射出される画像光Ｌ１〜Ｌ３を互いに隙間なく連結することができる。具体的には、図１Ｃに示したように、ＦＯＰ２０Ａにおける第１の導光部分２１Ａの第１の射出面２３Ａと第２の導光部分２１Ｂの第２の射出面２３Ｂとが、境界Ｋ１２において隙間なく隣り合っている。このため、ＦＯＰ２０Ａでは、端部領域ＳＬ１からの画像光Ｌ１と端部領域ＳＲ２からの画像光Ｌ２とが隣り合うように表示される。同様に、ＦＯＰ２０Ｂにおける第１の導光部分２１Ａの第１の射出面２３Ａと第２の導光部分２１Ｂの第２の射出面２３Ｂとが、境界Ｋ２３において隙間なく隣り合っている。このため、ＦＯＰ２０Ｂでは、端部領域ＳＬ２からの画像光Ｌ２と端部領域ＳＲ３からの画像光Ｌ３とが隣り合うように表示される。このようにして、画像形成装置１００では、全体として１つの矩形状の連結表示面ＳＳが形成される。その結果、視聴者が継ぎ目を認識しにくい、より大きな表示面積を有する画像表示面を形成でき、より大きく、かつ審美性にも優れた映像を視聴者に提供することができる。
【００２４】  また、本実施の形態では、導光部材としてＦＯＰ２０を備えるようにした。ＦＯＰ２０は、表示部の表示画像を、画素サイズレベルの領域ごとに伝達できるので、より良好な画質の画像を視聴者に提供できる。これに対し、例えばマイクロレンズを配列したレンズアレイやフレネルレンズなどを用いると、視聴可能な表示面からの距離（視聴距離）に制限が生じる。表示面からの距離（視聴距離）によって画像が破綻してしまう場合があるからである。また、レンズアレイやフレネルレンズなどを用いると、表示面に対して垂直な方向から傾いた角度から眺めると、視聴画像の画質に劣化が生じる場合があるが、ＦＯＰの場合、そのような画質の劣化は生じにくい。
【００２５】  また、本実施の形態では、可撓性を有するシート状のいわゆるフレキシブルディスプレイを表示パネルＰとして用いるようにしたので、表示装置１を工場内で製造したのち、その表示装置１全体を巻回した状態で出荷、搬送することができる。このため、搬送時における全体の寸法を縮小化でき、搬送性に優れる。また、工場内での製造段階において複数の表示パネルＰを所定の位置にタイリングし、複数の表示パネルＰ同士を連結できるので、出荷前に複数の表示パネルＰ間における輝度調整や色むら調整などの各種調整が可能となり、表示装置１全体としての表示品質の向上が図れる。よって、設置場所での画質調整の作業を簡略化し、あるいは省略できる。
【００２６】＜２．第２の実施の形態＞［表示装置２Ａの構成］  図２Ａは、本開示の第２の実施の形態としての表示装置２Ａの要部を拡大して表す拡大断面図であり、上記第１の実施の形態の図１Ｃに対応するものである。
【００２７】  図２Ａに示したように、表示装置２Ａは、複数の表示パネルＰの中央領域ＳＣならびにＦＯＰ２０の第１の射出面２３Ａおよび第２の射出面２３Ｂにより一体的に形成される連結表示面ＳＳを全面的に覆うように設けられた、可撓性を有する光学フィルム３０をさらに備えたものである。光学フィルム３０としては、例えば反射防止（ＡＲ）フィルムや視野角拡散フィルムを用いることができる。表示装置２Ａは、この点を除き、上記第１の実施の形態としての表示装置１と実質的に同一の構成を有する。
【００２８】  光学フィルム３０として視野角拡散フィルムを用いた場合、光学フィルム３０は、連結表示面ＳＳから射出される画像光Ｌの配光の変換を行うように機能する。具体的には、光学フィルム３０は、表示パネルＰの中央領域ＳＣから直接入射され、あるいはＦＯＰ２０を介して入射される画像光Ｌを透過しつつ、その画像光Ｌの進行方向を変更し、例えば正面方向から見て均質な輝度分布となる配光に変換するように機能する。光学フィルム３０は、光ファイバ２６のコア部２６１の屈折率（例えば１．８程度）よりも低く１より高い屈折率を有するとよい。ＦＯＰ２０の第１の射出面２３Ａおよび第２の射出面２３Ｂから射出した画像光Ｌが光学フィルム３０に入射する際の伝播損失を低減し、高い透過効率を確保するためである。但し、視野角を拡大することを優先する場合、光ファイバ２６のコア部２６１の屈折率よりも高い屈折率を有する光学フィルム３０を用いてもよい。
【００２９】［表示装置２の作用効果］  本実施の形態の表示装置２Ａにおいても、上記第１の実施の形態の表示装置１と同様の効果が得られる。すなわち、複数の表示パネルＰ１〜Ｐ３を、境界部分Ｇ１，Ｇ２において連結して一体化するようにしたので、全体として大きな表示面を形成することができる。特に、境界部分Ｇ１，Ｇ２に導光部材としてのＦＯＰ２０Ａ，２０Ｂを配置するようにしたので、複数の表示パネルＰ１〜Ｐ３から射出される画像光Ｌ１〜Ｌ３を互いに隙間なく連結することができる。そのうえ、本実施の形態の表示装置２Ａでは、複数の表示パネルＰおよびそれらの境界部分Ｇ１，Ｇ２に設けられたＦＯＰ２０の前面に、光学フィルム３０を備えるようにした。このため、複数の表示パネルＰにおける表示部Ｓの中央領域ＳＣからの画像光Ｌと、端部領域ＳＲ，ＳＬからの画像光Ｌとの輝度や色度の差異を軽減し、連結表示面ＳＳで表示される画像全体の画質のばらつきを減少させることができる。また、光学フィルム３０が、連結表示面ＳＳを外力から保護する保護フィルムとして機能することで、搬送時や設置時、あるいは設置後における表示装置２Ａの機能の損傷を防ぐことができる。さらに、光学フィルム３０は可撓性を有するので表示装置２Ａを巻回する際の妨げとはならない。光学フィルム３０を設けることで表示装置２Ａの全体における機械的強度を向上させることができ、巻回された表示装置２の潰れや折れ曲がりを回避し、品質保持を図ることができる。さらに、光学フィルム３０を設けることにより、表示部Ｓの中央領域ＳＣにおけるしわや撓みの発生を抑制することができ、より良好な画像表示が期待できる。
【００３０】  なお、ＦＯＰ２０の第１の射出面２３Ａおよび第２の射出面２３Ｂと光学フィルム３０との貼り合わせは、例えば透明樹脂などの接着剤による接着により行うことができる。あるいは、連結表示面ＳＳ上に液体を塗布することにより光学フィルム３０を形成するようにしてもよい。
【００３１】＜３．第２の実施の形態の変形例＞［表示装置２Ｂの構成］  図２Ｂは、上記第２の実施の形態に係る第１の変形例としての表示装置２Ｂの要部を拡大して表す断面図であり、上記第２の実施の形態の図２Ａに対応するものである。
【００３２】  図２Ｂに示したように、本変形例の表示装置２Ｂは、ＦＯＰ２０を配置せず、光学フィルム３０によってのみ表示パネルＰ同士を連結するようにしたものである。表示装置２Ｂは、この点を除き、上記第２の実施の形態としての表示装置２Ａと実質的に同一の構成を有する。
【００３３】  本変形例の表示装置２Ｂにおいても、複数の表示パネルＰ１〜Ｐ３を光学フィルム３０により連結して一体化するようにしたので、全体として大きな表示面を形成することができる。表示装置２Ｂでは、表示部Ｓの端部領域ＳＬ，ＳＲを湾曲させ、隣り合う表示部Ｓ同士の隙間を小さくするようにした。このため、表示部Ｓの端部領域ＳＬ，ＳＲを湾曲させない場合と比べ、表示パネルＰ１〜Ｐ３から射出される画像光Ｌ１〜Ｌ３同士の隙間を小さくすることができる。また、表示装置２Ｂは、境界部分Ｇ１，Ｇ２に導光部材としてのＦＯＰ２０Ａ，２０Ｂを配置しない構成であるので、表示装置２Ａと比較して、全体の軽量化、薄型化の点で有利である。但し、ＦＯＰ２０を有しないことから、平坦な中央領域ＳＣに対し湾曲した端部領域ＳＬ，ＳＲにおいて射出される画像光Ｌは、光学フィルム３０に沿った連結表示面ＳＳの位置において歪みのない画像となるように画像処理されたものとすることが望ましい。
【００３４】［表示装置２Ｃの構成］  図２Ｃは、上記第２の実施の形態に係る第２の変形例としての表示装置２Ｃの要部を拡大して表す断面図であり、上記第２の実施の形態の図２Ａに対応するものである。
【００３５】  図２Ｃに示したように、本変形例の表示装置２Ｃは、光学フィルム３０と表示部Ｓの中央領域ＳＣとの間に、透明支持基板４０（４０Ａ，４０Ｂ）を設けるようにしたものである。透明支持基板４０は、その端面が、境界部分Ｇ１，Ｇ２に設けられた第１の導光部分２１Ａおよび第２の導光部分２１Ｂの端面と当接するように設けられている。表示装置２Ｃは、この点を除き、上記第２の実施の形態としての表示装置２Ａと実質的に同一の構成を有する。
【００３６】  本変形例の表示装置２Ｃでは、中央領域ＳＣの表示面に透明支持基板４０を設けるようにしたので、製造段階や設置の際、表示部Ｓの中央領域ＳＣにおけるしわや撓みの発生を抑制することができ、より良好な画像表示が期待できる。また、ＦＯＰ２０の端部を保護することができる。透明支持基板４０は、可撓性を有する透明樹脂により形成することができる。その場合、表示装置１を巻回することができ、搬送性を確保できる。なお、透明支持基板４０は、ガラス板によって形成してもよい。
【００３７】＜４．その他の変形例＞  以上、いくつかの実施の形態および変形例を挙げて本開示を説明したが、本開示は上記実施の形態等に限定されるものではなく、種々の変形が可能である。例えば上記第１の実施の形態の表示装置１における、導光部材としてのＦＯＰ２０では、光軸が湾曲したコア部２６１を含む光ファイバ２６を有するようにしたが、本開示はこれに限定されるものではない。例えば図３Ａに示した表示装置３Ａのように、連結表示面ＳＳに対し直交する方向に画像光Ｌが直進するＦＯＰ２０Ｃを備えていてもよい。なお、図３Ａは、ＦＯＰ２０Ｃを構成する第１の導光部分２１Ａおよび第２の導光部分２１Ｂのうちの第１の導光部分２１Ａのみを記載している。あるいは、図３Ｂに示した表示装置３Ｂのように、連結表示面ＳＳに対し斜め方向に画像光Ｌが直進するＦＯＰ２０Ｄを備えていてもよい。図３Ｂにおいても、ＦＯＰ２０Ｄを構成する第１の導光部分２１Ａおよび第２の導光部分２１Ｂのうちの第１の導光部分２１Ａのみを記載している。
【００３８】  また、本開示の導光部材としては、例えば図３Ｃに示した導光部材としてのＦＯＰ２０Ｅのように、入射面（第１の入射面２２Ａおよび第２の入射面２２Ｂ）に入射した画像光Ｌを、射出面（第１の射出面２３Ａおよび第２の射出面２３Ｂ）に至るまでの間に拡大して伝播し、拡大された画像光Ｌを射出面から射出するものであってもよい。このような拡大機能を有するＦＯＰ２０Ｃを用いることで、表示部Ｓのうちの湾曲させる端部領域ＳＬ，ＳＲの大きさを縮小することができ、境界部分Ｇ１，Ｇ２における厚みの削減にも有利となる。図３Ｃにおいても、ＦＯＰ２０Ｅを構成する第１の導光部分２１Ａおよび第２の導光部分２１Ｂのうちの第１の導光部分２１Ａのみを記載している。
【００３９】  また、上記実施の形態等では、表示部Ｓの端部領域ＳＬ，ＳＲを、中央領域ＳＣの延在する方向に対し０°から９０°未満の範囲の角度をなすように緩やかに湾曲させるようにしたが、本開示はこれに限定されるものではない。例えば、図４Ａに示した表示装置４Ａのように、中央領域ＳＣと端部領域ＳＬとの境界位置および中央領域ＳＣと端部領域ＳＲとの境界位置において、連結表示面ＳＳに対して垂直に折り曲げた表示パネル４１Ｐ（４１Ｐ１〜４１Ｐ３）を備えるようにしてもよい。このようにすることで、表示装置４Ａでは、上記実施の形態等の表示装置１などのように端部領域ＳＬ，ＳＲを緩やかに湾曲させた場合と比較して、境界部分Ｇ１，Ｇ２の幅を短くすることができ、コンパクト化に有利である。あるいは、例えば、図４Ｂに示した表示装置４Ｂのように、表示パネル４２Ｐ（４２Ｐ１〜４２Ｐ３）を備えるようにしてもよい。表示パネル４２Ｐ１は、周辺部Ｆ１と端部領域ＳＬ１との境界位置において、周辺部Ｆ１を、端部領域ＳＬ１と厚さ方向において重なり合うように折り返したものである。表示パネル４２Ｐ２は、周辺部Ｆ２と端部領域ＳＲ２との境界位置および周辺部Ｆ２と端部領域ＳＬ２との境界位置において、周辺部Ｆ２を、端部領域ＳＲ２および端部領域ＳＬ２と厚さ方向においてそれぞれ重なり合うように折り返したものである。さらに、表示パネル４２Ｐ３は、周辺部Ｆ３と端部領域ＳＲ３との境界位置において、周辺部Ｆ３を、端部領域ＳＲ３と厚さ方向において重なり合うように折り返したものである。このようにすることで、表示装置４Ｂは、上記実施の形態等の表示装置１などのように端部領域ＳＬ，ＳＲを緩やかに湾曲させた場合と比較して、コンパクト化に有利となっている。表示装置４Ｂでは、表示装置１などと比較して境界部分Ｇ１，Ｇ２の幅（Ｘ軸方向の寸法）を短くすることができるうえ、境界部分Ｇ１，Ｇ２近傍における厚さ（Ｚ軸方向の寸法）を薄くすることができるからである。そのうえ、表示装置１や表示装置４Ｂと比較して、端部領域ＳＬ，ＳＲから連結表示面ＳＳまでの距離をより短くすることができ、境界部分Ｇ１，Ｇ２での輝度の低下を緩和できる。
【００４０】  さらに、本開示の表示装置では、例えば図５に示した表示装置５のように、ＦＯＰ２０における第１の射出面２３Ａおよび第２の射出面２３Ｂの反対側の面を覆うように遮光膜５０を設けるようにしてもよい。このような遮光膜５０を設けることにより、例えば第１の導光部分２１Ａと第２の導光部分２１Ｂとの隙間などから連結表示面ＳＳへ漏れる不要な外光を排除することができる。
【００４１】  また、上記実施の形態等では、複数の表示パネルＰの形状および大きさ、ならびに複数のＦＯＰ２０の形状および大きさが実質的に同一である場合を例示したが、本開示はこれに限定されるものではない。本開示では、複数の表示部材の形状および大きさが一部または全部異なっていてもよいし、複数の導光部材の形状および大きさが一部または全部異なっていてもよい。
【００４２】  なお、本明細書中に記載された効果はあくまで例示であってその記載に限定されるものではなく、他の効果があってもよい。また、本技術は以下のような構成を取り得るものである。（１）  第１の中央領域および湾曲した第１の端部領域を含んで第１の画像光を発する第１の表示部、を有する第１の表示部材と、  第２の中央領域および湾曲した第２の端部領域を含んで第２の画像光を発すると共にギャップを介して前記第１の表示部と隣り合う第２の表示部、を有する第２の表示部材と、  前記ギャップに設けられ、前記第１の端部領域からの前記第１の画像光が入射する第１の入射面、前記第１の入射面からの前記第１の画像光を射出する第１の射出面、前記第２の端部領域からの前記第２の画像光が入射する第２の入射面、および前記第２の入射面からの前記第２の画像光を射出する第２の射出面、を有する導光部材と  を備えた表示装置。（２）  前記導光部材は、  前記第１の入射面から前記第１の射出面まで前記第１の画像光を案内する第１のコア部、および前記第１のコア部を取り巻く第１のクラッド部、を各々有する第１の光ファイバが複数束ねられて一体化された第１の導光部分と、  前記第２の入射面から前記第２の射出面まで前記第２の画像光を案内する第２のコア部、および前記第２のコア部を取り巻く第２のクラッド部、を各々有する第２の光ファイバが複数束ねられて一体化された第２の導光部分と  を有する  上記（１）記載の表示装置。（３）  前記導光部材は、  前記第１の入射面に入射した前記第１の画像光を拡大して前記第１の射出面から射出し、  前記第２の入射面に入射した前記第２の画像光を拡大して前記第２の射出面から射出する  上記（１）または（２）記載の表示装置。（４）  前記第１の表示部および前記第２の表示部は、フレキシブルディスプレイである  上記（１）から（３）のいずれか１つに記載の表示装置。（５）  前記第１の表示部のうちの前記第１の中央領域、前記第２の表示部のうちの前記第２の中央領域、ならびに、前記導光部材における前記第１の射出面および前記第２の射出面は、一体となって連結表示面を形成している  上記（１）から（４）のいずれか１つに記載の表示装置。（６）  前記連結表示面を覆う光学フィルムをさらに備えた  上記（５）記載の表示装置。（７）  前記第１の表示部のうちの前記第１の中央領域を覆う第１の透明板および前記第２の表示部のうちの前記第２の中央領域を覆う第２の透明板のうちの少なくとも一方をさらに備えた  上記（１）から（６）のいずれか１つに記載の表示装置。（８）  第１の中央領域および湾曲した第１の端部領域を含んで第１の画像光を発する第１の表示部、を有する第１の表示部材と、  第２の中央領域および湾曲した第２の端部領域を含んで第２の画像光を発すると共にギャップを介して前記第１の表示部と隣り合う第２の表示部、を有する第２の表示部材と、  前記ギャップを跨いで前記第１の表示部の前記第１の中央領域および前記第２の表示部の前記第２の中央領域の双方を覆うように設けられた光学フィルムと  を備えた表示装置。
【００４３】  本出願は、日本国特許庁において２０１８年３月２９日に出願された日本特許出願番号２０１８−６３８６９号を基礎として優先権を主張するものであり、この出願のすべての内容を参照によって本出願に援用する。
【００４４】  当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１Ａ】
2019187735.tif 000003
【図１Ｂ】
2019187735.tif 000004
【図１Ｃ】
2019187735.tif 000005
【図１Ｄ】
2019187735.tif 000006
【図２Ａ】
2019187735.tif 000007
【図２Ｂ】
2019187735.tif 000008
【図２Ｃ】
2019187735.tif 000009
【図３Ａ】
2019187735.tif 000010
【図３Ｂ】
2019187735.tif 000011
【図３Ｃ】
2019187735.tif 000012
【図４Ａ】
2019187735.tif 000013
【図４Ｂ】
2019187735.tif 000014
【図５】
2019187735.tif 000015
【国際調査報告】
2019187735.tif 000016
2019187735.tif 000017
2019187735.tif 000018
2019187735.tif 000019